(57)【要約】【課題】マンホールへの出入りの際に作業者への負担を軽減することのできるマンホール用梯子を提供する。【解決手段】梯子１と、梯子１を保持する梯子保持台１０とを備えたマンホール用梯子１００であって、梯子保持台１０は、マンホールの開口部近傍の床面に載置される２本の左右支持枠１１ａ、１１ｂと、２本の左右杆部（１３ａ、１３ｂ）及び２本の左右杆部（１３ａ、１３ｂ）を連結する連結杆部（１３ｃ）を有する後部支持枠１３と、２本の左右支持枠１１ａ、１１ｂそれぞれの一方の端部から所定間隔を置いた位置に差し渡された前部支持枠１２と、を備え、後部支持枠（１３）の左右杆部（１３ａ、１３ｂ）は、２本の左右支持枠（１１ａ、１１ｂ）の他方の端部に、連結位置を調整可能に連結され、梯子１は、その上部がマンホールの外部に突出するように前部支持枠１２に支持される。【選択図】図１
0003156117.tif 000002
【実用新案登録請求の範囲】
【請求項１】
梯子（１）と、前記梯子（１）を保持する梯子保持台（１０）とを備えたマンホール用梯子（１００）であって、
前記梯子保持台（１０）は、
マンホールの開口部近傍の床面に載置される２本の左右支持枠（１１ａ、１１ｂ）と、
２本の左右杆部（１３ａ、１３ｂ）及び前記２本の左右杆部（１３ａ、１３ｂ）を連結する連結杆部（１３ｃ）を有する後部支持枠（１３）と、
前記２本の左右支持枠（１１ａ、１１ｂ）それぞれの一方の端部から所定間隔を置いた位置に差し渡された前部支持枠（１２）と、を備え、
前記後部支持枠（１３）の左右杆部（１３ａ、１３ｂ）は、前記２本の左右支持枠（１１ａ、１１ｂ）の他方の端部に、連結位置を調整可能に連結され、
前記梯子（１）は、その上部がマンホールの外部に突出するように前記前部支持枠（１２）に支持される
ことを特徴とするマンホール用梯子。
【請求項２】
前記連結杆部（１３ｃ）に設けられ、マンホールの上部内壁に当接して前記後部支持枠（１３）と前記２本の左右支持枠（１１ａ、１１ｂ）との連結位置を規定する幅決め具（１６）を備えた
ことを特徴とする請求項１記載のマンホール用梯子。
【請求項３】
前記前部支持枠（１２）の上面に設けられ、上方に向かって突出するボルト（１７ａ、１７ｂ）と、
前記梯子（１）に固着され、前記前部支持枠（１２）に上方から掛止可能なフック片（４）と、
前記フック片（４）の上面に設けられ、前記ボルト（１７ａ、１７ｂ）を貫通可能なボルト孔（５ａ、５ｂ）と、を備え、
前記ボルト孔（５ａ、５ｂ）に前記ボルト（１７ａ、１７ｂ）を貫通させつつ、前記フック片（４）を前記前部支持枠（１２）に掛け、前記ボルト（１７ａ、１７ｂ）にナットを嵌めて、前記梯子保持台（１０）に前記梯子（１）を固定する
ことを特徴とする請求項１または請求項２記載のマンホール用梯子。
【請求項４】
前記前部支持枠（１２）に下方に向かって垂設されて、前記梯子（１）の踏桟（３）の少なくとも一つに面で当接する抑止片（１８）を備えた
ことを特徴とする請求項１〜請求項３のいずれか記載のマンホール用梯子。
【請求項５】
前記抑止片（１８）は、
前記前部支持枠に丁番（４２）を介して垂設される抑止片支持材（４１）に固着されている
ことを特徴とする請求項１〜請求項３のいずれか記載のマンホール用梯子。
【請求項６】
前記梯子（１）の上部がマンホールの外部に突出する長さを４５０ｍｍ以上とした
ことを特徴とする請求項１〜請求項４のいずれか記載のマンホール用梯子。
【請求項７】
前記前部支持枠（１２）を、前記２本の左右支持枠（１１ａ、１１ｂ）それぞれの端部から１５０ｍｍ以上の間隔を置いた位置に差し渡した
ことを特徴とする請求項１〜請求項５のいずれか記載のマンホール用梯子。
【考案の詳細な説明】
【技術分野】
【０００１】
本考案は、マンホール内を昇降するために使用する携帯用の梯子に関する。
【背景技術】
【０００２】
従来、吊持ち杆の両端に杆状保持足片を固着して形成されたサポートフレームと、フック片を備えた梯子とを有し、梯子のフック片を吊持ち杆に嵌着させたマンホール用の梯子装置がある。
【先行技術文献】
【特許文献】
【０００３】
【特許文献１】特開平９−１７７１０５号公報（第２頁、図１）
【考案の概要】
【考案が解決しようとする課題】
【０００４】
上記特許文献１に記載の技術によれば、マンホール内を作業者が昇降する際、梯子が安定的に保持されていた。
【０００５】
ここで、上記特許文献１に記載のような梯子を使用して作業者がマンホールの坑内に入る際には、床面に手をつくなどして体重を支えつつ、梯子に足をかけるという動作を行う必要がある。また、マンホールの坑内から出る際にも、梯子を使って床面近辺まで昇ってきた後、床面に手をついて体重を支えながら床面に上がる必要がある。このように、床面からマンホールに出入りする際には作業者の肉体に大きな負担がかかっており、この負担を軽減することと不安全行動の回避が望まれていた。
【０００６】
本考案は、上述のような課題を解決するためになされたものであり、マンホールへの出入りの際に作業者への負担を軽減することのできるマンホール用梯子を提供するものである。
【課題を解決するための手段】
【０００７】
本考案に係るマンホール用梯子は、梯子（１）と、前記梯子（１）を保持する梯子保持台（１０）とを備えたマンホール用梯子（１００）であって、前記梯子保持台（１０）は、マンホールの開口部近傍の床面に載置される２本の左右支持枠（１１ａ、１１ｂ）と、２本の左右杆部（１３ａ、１３ｂ）及び前記２本の左右杆部（１３ａ、１３ｂ）を連結する連結杆部（１３ｃ）を有する後部支持枠（１３）と、前記２本の左右支持枠（１１ａ、１１ｂ）それぞれの一方の端部から所定間隔を置いた位置に差し渡された前部支持枠（１２）と、を備え、前記後部支持枠（１３）の左右杆部（１３ａ、１３ｂ）は、前記２本の左右支持枠（１１ａ、１１ｂ）の他方の端部に、連結位置を調整可能に連結され、前記梯子（１）は、その上部がマンホールの外部に突出するように前記前部支持枠（１２）に支持されるものである。
【０００８】
本考案に係るマンホール用梯子は、後部支持枠（１２）に設けられ、マンホールの上部内壁に当接して連結杆部（１３ｃ）と２本の左右支持枠（１１ａ、１１ｂ）との連結位置を規定する幅決め具（１６）を備えたものである。
【０００９】
本考案に係るマンホール用梯子は、前部支持枠（１２）の上面に設けられ、上方に向かって突出するボルト（１７ａ、１７ｂ）と、梯子（１）に固着され、前部支持枠（１２）に上方から掛止可能なフック片（４）と、フック片（４）の上面に設けられ、ボルト（１７ａ、１７ｂ）を貫通可能なボルト孔（５ａ、５ｂ）と、を備え、ボルト孔（５ａ、５ｂ）にボルト（１７ａ、１７ｂ）を貫通させつつ、フック片（４）を前部支持枠（１２）に掛け、ボルト（１７ａ、１７ｂ）にナットを嵌めて、梯子保持台（１０）に梯子（１）を固定するものである。
【００１０】
本考案に係るマンホール用梯子は、前部支持枠（１２）に下方に向かって垂設されて、梯子（１）の踏桟（３）の少なくとも一つに面で当接する抑止片（１８）を備えたものである。
また、本考案に係るマンホール用梯子の抑止片（１８）は、前部支持枠に丁番（４２）を介して垂設される抑止片支持材（４１）に固着されたものである。
【００１１】
本考案に係るマンホール用梯子は、梯子（１）の上部がマンホールの外部に突出する長さを４５０ｍｍ以上としたものである。
【００１２】
本考案に係るマンホール用梯子は、前部支持枠（１２）を、２本の左右支持枠（１１ａ、１１ｂ）それぞれの端部から１５０ｍｍ以上の間隔を置いた位置に差し渡したものである。
【考案の効果】
【００１３】
本考案によれば、梯子の上部が床面より突出するように設けたので、作業者はこの突出部を手がかりにしてマンホールの坑内に容易に出入りすることができる。このため、作業者への負担を軽減することができる。
また、後部支持枠の左右杆部と２本の左右支持枠とは、連結位置を調整可能に連結されるので、開口部の直径の異なる様々なマンホールに、本考案に係るマンホール用梯子を使用することができる。
【００１４】
本考案によれば、後部支持枠の連結杆部に設けられ、後部支持枠と２本の左右支持枠との連結位置を規定する幅決め具を備えたので、幅決め具がマンホール坑内の内部上壁に当接し、前後方向における梯子保持台の揺動を抑制することができる。
【００１５】
本考案によれば、梯子に固着したフック片を前部支持枠に掛けてボルトとナットで固定するようにした。このため、前後左右方向、及び上下方向における梯子の揺動を抑制することができる。
【００１６】
本考案によれば、梯子の踏桟の一つに面で当接し、梯子の揺動を抑止する抑止片を設けたので、梯子の揺動を抑制することができる。
また、本考案に係るマンホール用梯子の抑止片は、前部支持枠に丁番を介して垂設される抑止片支持材に固着したので、梯子を梯子保持台から取り外したときには丁番を折り曲げて抑止片を収納でき、梯子保持台の収納スペースを小さくすることができる。
【００１７】
本考案によれば、梯子の上部がマンホールの外部に突出する長さを４５０ｍｍ以上としたので、作業者は梯子の上方の踏桟に立った状態で自身の体を床面より上に出すことができる。このため、床面と梯子の移動を容易に行うことができ、マンホール坑内への出入りに関する作業者の負担を軽減することができる。
【００１８】
本考案によれば、前部支持枠を、２本の左右支持枠それぞれの端部から１５０ｍｍ以上の間隔を置いた位置に差し渡したので、梯子保持台の安定感を増大させることができ、作業者が梯子を昇降するときのぐらつきを抑制することができる。
【図面の簡単な説明】
【００１９】
【図１】実施の形態１に係るマンホール用梯子の斜視図である。
【図２】図１に係るマンホール用梯子の梯子を取り外した状態を示す斜視図である。
【図３】実施の形態１に係るマンホール用梯子の側面図である。
【図４】実施の形態１に係るマンホール用梯子の平面図である。
【図５】実施の形態２に係るマンホール用梯子の斜視図である。
【図６】実施の形態３に係る梯子保持台の側面模式図である。
【図７】実施の形態４に係る幅決め具を説明する図である。
【考案を実施するための形態】
【００２０】
実施の形態１．
図１は実施の形態１に係るマンホール用梯子の斜視図、図２は同じくマンホール用梯子の梯子を取り外した状態を示す斜視図、図３は同じく側面図、図４は同じく平面図である。以下、実施の形態１に係るマンホール用梯子を、図１〜図４に基づいて説明する。なお、各図において、同一の構成要素には同一の符号を付している。
【００２１】
マンホール用梯子１００は、梯子１と、梯子保持台１０とで構成される。このマンホール用梯子１００は、梯子保持台１０をマンホールの周囲に載置して梯子１をマンホールの坑内に降ろした状態で、作業者がマンホールの坑内に出入り・昇降するために使用される。
【００２２】
梯子１は、アルミ製などの一対の支柱２ａ、２ｂ（以下、支柱２と総称する場合がある）と、支柱２ａ、２ｂを接続する踏桟３ａ〜３ｇ（以下、踏桟３と総称する場合がある）とを備える。支柱２の上方であって、上から２段目の踏桟である踏桟３ｂの近傍には、下面が開放されたフック片４が固着されている。フック片４の上面には、梯子１を梯子保持台１０に固定するためのボルト孔５ａ、５ｂ（以下、ボルト孔５と総称する場合がある）が設けられている。このフック片４を梯子保持台１０に掛けることにより、梯子１は梯子保持台１０と一体化される。
【００２３】
梯子保持台１０は、２本の左右支持枠１１ａ、１１ｂ（以下、左右支持枠１１と総称する場合がある）と、左右支持枠１１ａから左右支持枠１１ｂに差し渡された前部支持枠１２と、左右支持枠１１に連結された後部支持枠１３とを備える。
【００２４】
左右支持枠１１は、マンホールの開口部近傍の床面に載置される部材であって、断面角形の亜鉛メッキ鋼などの鋼管で形成されている。左右支持枠１１の長さは、例えば、約５８０ｍｍ程度とすることができる。
【００２５】
前部支持枠１２は、左右支持枠１１ａ、１１ｂの端部から所定間隔ｓを設けた位置に固定されている。この所定間隔ｓは、１５０ｍｍ程度、もしくは１５０ｍｍ以上の長さである。また、前部支持枠１２の長さは、例えば約７１０ｍｍ程度とすることができる。
また、前部支持枠１２の中央付近には、一対のボルト１７ａ、１７ｂ（以下、ボルト１７と総称する場合がある）が上方に向かって固定されている。
【００２６】
後部支持枠１３は、左右杆部１３ａ、１３ｂと、これら左右杆部１３ａ、１３ｂとを連結するように固着された連結杆部１３ｃにより構成されており、全体として一辺が開放された矩形枠形状（略コ字状）を有している。この後部支持枠１３は、断面角形の亜鉛メッキ鋼などの鋼管で形成されている。また、後部支持枠１３の角部分には補強のための方杖１５ａ、１５ｂが設けられている。後部支持枠１３の左右杆部１３ａ、１３ｂの鋼管の径は、左右支持枠１１の鋼管の径よりも小さく、左右杆部１３ａ、１３ｂの端部は、それぞれ左右支持枠１１ａ、１１ｂの端部管内に挿入可能である。
また、後部支持枠１３の連結杆部１３ｃの略中央位置には、幅決め具１６が下方に向かって固着されている。幅決め具１６は、幅が約７０ｍｍ、高さが約８０ｍｍ程度の平板状に形成されている。
【００２７】
このように構成された後部支持枠１３の左右杆部１３ａ、１３ｂの端部を、任意の長さだけ左右支持枠１１の端部管内に挿入することにより、後部支持枠１３と左右支持枠１１の連結位置を変えることができる。すなわち、前部支持枠１２から後部支持枠１３の連結杆部１３ｃまでの長さが伸縮可能となる。そして、蝶ネジ２１ａ、２１ｂ（以下、蝶ネジ２１と総称する場合がある）を締め付けることで、左右支持枠１１と後部支持枠１３とが固定される。なお、図１、図２には、蝶ネジ２１ａが表されていないが、蝶ネジ２１ｂと対応する位置に蝶ネジ２１ａが設けられている（図４参照）。
【００２８】
前部支持枠１２の左右方向略中央位置には、２本の断面Ｌ字形の部材で構成される抑止片支持材１４を介して抑止片１８が固着されている。
抑止片１８は、抑止片支持材１４に固着される水平面１８ａと、この水平面１８ａから下側に連なって略垂直方向に延びる垂直面１８ｂとを有し、断面略Ｌ字形状に形成されている。抑止片１８の垂直面１８ｂは、梯子１を梯子保持台１０に取り付けた状態において、梯子１の踏桟３ｃに当接する（図１、図４参照）。
【００２９】
次に、マンホール用梯子１００のマンホールへの設置方法について説明する。
まず、梯子保持台１０をマンホールの開口部近傍に載置し、抑止片支持材１４と幅決め具１６をマンホール坑内に挿入する。そして、蝶ネジ２１を緩めて後部支持枠１３と左右支持枠１１の連結位置を調整し、抑止片支持材１４と幅決め具１６がマンホール坑内の上部内壁に接する位置で、蝶ネジ２１を締めて後部支持枠１３を固定する。後部支持枠１３と左右支持枠１１の連結位置が変更可能に構成されているので、異なる直径の開口部を有するマンホールに適用することができる。本実施の形態１に係る梯子保持台１０の場合は、直径が６００ｍｍ〜９００ｍｍの範囲内のマンホールに適用可能となる。
【００３０】
そして、梯子１をマンホールの坑内に挿入し、前部支持枠１２の中央付近に設けられたボルト１７を梯子１のボルト孔５に通しつつ、梯子１のフック片４を前部支持枠１２に掛ける。さらに、座金２２ａ、２２ｂを介して蝶ナット２３ａ、２３ｂを締め付ける。このようにすることで、梯子１を梯子保持台１０に固定することができる。フック片４を前部支持枠１２に掛け、これらをボルト１７と蝶ナット２３で締め付けるので、前後左右方向及び上下方向に梯子１を固定することができる。
また、梯子１を梯子保持台１０に固定した状態において、梯子１の上部は、４５０ｍｍ以上、望ましくは４５０ｍｍ程度の長さｔが、床面上に突出した状態となる（図３参照）。
【００３１】
以上のようにマンホール用梯子１００をマンホールに設置した状態において、作業者がマンホール内を昇降する場合の動作を説明する。
まず、床面上からマンホール内に入る際には、作業者は、床面から突出した梯子１の上部の支柱２等を手で掴みつつ、足をマンホール内の踏桟３に載せ、マンホール内に進入する。床面から突出した梯子１の上部を手がかりにできるため、床面などに手をついて体重を支える必要もなく、作業者は容易かつ安全にマンホール内に入ることができる。マンホールから出る際も同様にして、作業者は、床面から突出した梯子１の上部を手で掴みながら、梯子１から床へ移動する。梯子１の上部が４５０ｍｍ程度床上から突出した状態であるので、作業者は梯子の上方の踏桟３に足を載せた状態で自身の体を床面上に出すことができ、梯子１と床との行き来を容易に行うことができる。
【００３２】
ここで、作業者が梯子１を掴んで梯子１の踏桟３に足を載せると、作業者の体重により、梯子１にはマンホール坑内の径方向に力が発生し、梯子１が揺動しようとする。また、昇降時の衝撃により梯子１には上下方向にも力がかかり揺動しようとする。しかし、梯子１は、フック片４により梯子保持台１０に嵌着され、さらにボルト１７と蝶ナット２３により固定されているので、梯子１の前後左右方向及び上下方向への揺動を抑制することができる。また、梯子１の踏桟３ｃが抑止片１８の垂直面１８ｂに当接するため、梯子１の前後方向（マンホールの径方向）への揺動をさらに抑制することができる。
【００３３】
また、作業者が梯子１を昇降している際には、前後方向あるいは左右方向に作業者の体重が移動して、梯子保持台１０にも前後方向あるいは左右方向の力がかかる。しかし、本実施の形態１に係る梯子保持台１０は、左右支持枠１１、前部支持枠１２、及び後部支持枠１３で略矩形形状をなし、抑止片支持材１４と幅決め具１６がマンホール坑内の内壁に接するように設置されている。このため、抑止片支持材１４と幅決め具１６を結ぶ方向（前後方向）における梯子保持台１０の揺動を抑制することができる。
また、左右支持枠１１の先端から所定間隔ｓをおいて前部支持枠１２を固定した。すなわち、前部支持枠１２との固着位置よりも、左右支持枠１１の先端部の方が所定間隔ｓだけ突出するようにした。このため、梯子保持台１０の前方向（左右支持枠１１の突出方向）への安定感が増大し、作業者が梯子１を昇降する際の梯子保持台１０の前後方向のぐらつきを抑制することができる。
【００３４】
以上のように本実施の形態１に係るマンホール用梯子１００によれば、梯子１の上部が床面上に突出するように設けたので、作業者はこの突出した梯子１を手がかりにしてマンホールの坑内に容易に出入りすることができる。このため、作業者への負担を軽減することができる。
また、後部支持枠１３と左右支持枠１１は、連結位置を調整可能に連結したので、マンホール用梯子１００は直径の異なる様々なマンホールに適用することができる。このため、作業者はマンホールごとにマンホール用梯子を準備する必要がなく、コストも低減できる。
【００３５】
なお、図１では円形の開口部を有するマンホールを例として記載したが、角形の開口部を有するマンホールに対しても本考案に係るマンホール用携帯梯子を使用することができ、同様の効果を得ることができる。このことは後述する実施の形態においても同様である。
【００３６】
実施の形態２．
本実施の形態２では、左右支持枠と後部支持枠の他の連結方法について説明する。なお、左右支持枠と後部支持枠の他の連結方法以外については前述の実施の形態１と同様であるので、相違点を中心に説明し、実施の形態１と同様の構成要素には同一の符号を付す。
【００３７】
図５は、本実施の形態２に係るマンホール用梯子１００Ａの斜視図である。左右支持枠３１ａ、３１ｂ（以下、左右支持枠３１と総称する場合がある）は、鋼製のピン３５を差し込むためのピン固定孔３３が設けられており、その他の構成については実施の形態１で前述した左右支持枠１１と同様である。また、後部支持枠３２は、複数の位置調整孔３４が所定間隔で設けられており、その他の構成については実施の形態１で前述した後部支持枠１３と同様である。
左右支持枠３１と後部支持枠３２とを連結固定する際には、左右支持枠３１の管内に後部支持枠３２の左右杆部３２ａ、３２ｂの端部を挿入し、ピン固定孔３３と複数の位置調整孔３４のうちいずれか任意のものとの位置を合わせ、ピン３５を差し込む。
【００３８】
このようにしても、左右支持枠３１と後部支持枠３２との連結位置を調整可能に固定することができ、前述の実施の形態１と同様の効果を得ることができる。
【００３９】
実施の形態３．
本実施の形態３では、抑止片支持材の他の構成について説明する。なお、抑止片支持材以外の構成については前述の実施の形態１と同様であるので、相違点を中心に説明し、実施の形態１と同様の構成要素には同一の符号を付す。
【００４０】
図６は、本実施の形態３に係る梯子保持台１０Ｂを側方から見た図である。図６（ａ）は、梯子を取り付けてマンホール用梯子を使用する際の状態を示す図であり、抑止片１８が垂下された状態となっている。図６（ｂ）は、抑止片１８が移動中の状態を示している。図６（ｃ）は、抑止片１８が収納された状態を示している。
【００４１】
図６において、抑止片支持材４１は、丁番４２により前部支持枠１２に固定されている。したがって、図６（ａ）〜（ｃ）に示すように、抑止片支持材４１は丁番４２により水平方向及び垂直方向に回動可能となっている。また、前部支持枠１２には、振れ止め具４３が固着されている。振れ止め具４３は、抑止片支持材４１がマンホール外側方向（図６の図面左側方向）への回動するのを抑止するための部材である。抑止片支持材４１の回動を抑止するものであれば、振れ止め具４３の形状及び固着方法は問わない。本実施の形態では、振れ止め具４３を平板状に形成し、その一面が丁番４２あるいは抑止片支持材４１に当接可能となるように前部支持枠１２の下面に固着する例を示している。
【００４２】
このような構成において、梯子保持台１０Ｂに梯子１を取り付ける際には、丁番４２を開いて抑止片支持材４１を略垂直方向に移動させておく（図６（ａ））。このようにすることで、梯子１と抑止片１８の垂直面１８ｂとが当接し、抑止片１８により梯子１を支えて梯子１の揺動を抑制することができる。
また、梯子保持台１０Ｂから梯子１を取り外した際には、丁番４２を閉じるようにして抑止片支持材４１を略水平方向に移動させる（図６（ｃ））。このようにすることで、梯子保持台１０Ｂの下部から、抑止片支持材４１が突出しなくなる。すなわち、梯子保持台１０Ｂをほぼ平板状にすることができる。このため、梯子保持台１０Ｂを持ち運んだりする際の取り扱いが容易になるとともに、梯子保持台１０Ｂの収納スペースを小さくすることができる。
【００４３】
実施の形態４．
本実施の形態４では、幅決め具の他の構成について説明する。なお、幅決め具以外の構成については前述の実施の形態１と同様であるので、相違点を中心に説明し、実施の形態１と同様の構成要素には同一の符号を付す。
【００４４】
図７は、本実施の形態４に係る幅決め具を示す要部模式図である。図７（ａ）は、斜視図を示し、図７（ｂ）は側方から見た図を示している。なお、図７では、マンホールの一例として、角形の開口部を有するマンホールを図示している。
【００４５】
図７において、後部支持枠１３の連結杆部１３ｃの略中央位置には、幅決め具５１が固着されている。幅決め具５１は、マンホールの内部方向に向かってほぼ水平に延びる水平面５１ａと、水平面５１ａに連なってほぼ垂直に延びる垂直面５１ｂとを有する。図７（ｂ）に示す幅決め具５１の水平面５１ａの幅ｕは、特に数値が限定されるわけではないが例えば５０ｍｍ程度とすることができる。
【００４６】
このような構成において、梯子保持台をマンホールに設置する際には、幅決め具５１の垂直面５１ｂがマンホールの上部内壁に接するようにして、後部支持枠１３と左右支持枠１１（図７には図示せず、図１参照）との連結位置を調整する。このようにして梯子保持台をマンホールに設置すると、図７（ｂ）に示すように、後部支持枠１３の連結杆部１３ｃと、幅決め具５１の水平面５１ａとが床面と接することとなる。このため、マンホールの開口部の端部から後部支持枠１３ｃまでの間に、所定の距離を保つことができる。したがって、梯子保持台をマンホールに設置したときの安定感をさらに増大させることができる。
【符号の説明】
【００４７】
１  梯子、２  支柱、２ａ、２ｂ  支柱、３  踏桟、３ａ〜３ｇ  踏桟、４  フック片、５ａ、５ｂ  ボルト孔、１０  梯子保持台、１０Ａ  梯子保持台、１０Ｂ  梯子保持台、１１ａ、１１ｂ  左右支持枠、１２  前部支持枠、１３  後部支持枠、１３ａ、１３ｂ  左右杆部、１３ｃ  連結杆部、１４  抑止片支持材、１５ａ、１５ｂ  方杖、１６  幅決め具、１７ａ、１７ｂ  ボルト、１８  抑止片、１８ａ  水平面、１８ｂ  垂直面、２１ａ、２１ｂ  蝶ネジ、２２ａ、２２ｂ  座金、２３ａ、２３ｂ  蝶ナット、３１ａ、３１ｂ  左右支持枠、３２  後部支持枠、３３  ピン固定孔、３４  位置調整孔、３５  ピン、４１  抑止片支持材、４２  丁番、４３  振れ止め具、５１  幅決め具、５１ａ  水平面、５１ｂ  垂直面、１００  マンホール用梯子、１００Ａ  マンホール用梯子。
【図１】
0003156117.tif 000003
【図２】
0003156117.tif 000004
【図３】
0003156117.tif 000005
【図４】
0003156117.tif 000006
【図５】
0003156117.tif 000007
【図６】
0003156117.tif 000008
【図７】
0003156117.tif 000009